(57)【要約】【課題】  表示部を見ながら、一般の撮像対象を撮像したり、自分自身を撮像したりすることができながら、本体部を安定のよい横置き姿勢に置いた状態でも、表示部を良好に見ることができる撮像表示装置を提供する。【解決手段】  撮像手段が設けられた本体部２と、撮像画像を表示可能で、折り畳み姿勢において本体部２の長手方向の辺にその長手方向の辺が沿うように配置される表示部３と、その軸心が本体部２の面に沿うように配置された第１の回転軸４と、この第１の回転軸４を介して本体部に回転可能に取り付けられた回転支持台５と、この回転支持台５において第１の回転軸４に対して直交するように配置され、表示部３を回転支持台５に対して回転自在に支持する第２の回転軸６とを備え、第２の回転軸６が、表示部３の辺に沿い、かつ、表示部折り畳み時における本体部２の辺にも沿うように配置した。これにより、本体部２を安定のよい横置き姿勢に置いた状態でも、表示部３を良好に見ることができる。【選択図】    図１
2005079732.tif 000002
【特許請求の範囲】
【請求項１】
撮像手段が設けられた本体部と、
撮像画像を表示可能で、本体部に当接または近接する折り畳み姿勢において本体部の長手方向の辺にその長手方向の辺が沿うように配置される表示部と、
その軸心が本体部の面に沿うように配置された第１の回転軸と、
この第１の回転軸を介して本体部に回転可能に取り付けられた回転支持台と、
この回転支持台において前記第１の回転軸に対して直交するように配置され、表示部を回転支持台に対して回転自在に支持する第２の回転軸とを備え、
前記第２の回転軸またはその一部が、表示部の辺に沿い、かつ、表示部折り畳み時における本体部の辺にも沿うように配置されていることを特徴とする撮像表示装置。
【請求項２】
表示部の表示面に略直交する方向から見て、表示部における回転支持台に臨む辺を除く外形が、本体部の外形に略重なるように表示部が形成されていることを特徴とする請求項１に記載の撮像表示装置。
【請求項３】
第１の回転軸の姿勢を検知する第１回転軸姿勢検知手段と、
第２の回転軸の姿勢を検知する第２回転軸姿勢検知手段と、
これら第１、第２の回転軸姿勢検知手段により検知した姿勢に応じて表示画面の表示姿勢を変更する表示姿勢変更手段とを備えたことを特徴とする請求項１または２に記載の撮像表示装置。
【請求項４】
表示部を折り畳み位置に配置した際に表示部に当接する当接突起が、第１の回転軸側箇所を中心に円弧状に湾曲した形状であることを特徴とする請求項１〜３の何れか１項に記載の撮像表示装置。
【発明の詳細な説明】
【技術分野】
【０００１】
本発明は、表示部をいろいろな姿勢で見ることができる撮像表示装置に関する。
【背景技術】
【０００２】
撮像した動画や静止画を記録するとともにこの記録情報などを表示できる撮像表示装置は既に知られている。この種の撮像表示装置として、記録中や記録済みの画像を表示する液晶画面などからなる表示部を、見易い角度に変更できるように回転可能に構成したものが特許文献１や特許文献２等に開示されている。
【０００３】
特許文献１に開示された撮像表示装置は、図５，図６に示すように、撮像手段などが設けられた本体部５０の片面における上部寄り箇所に収納用凹部５１を形成し、この収納用凹部５１に、液晶画面などからなる表示部５２を折り畳んだ状態で収納可能としている。また、この収納用凹部５１に隣接する本体部５０片面の上下方向略中央箇所に、上下方向に延びる第１の回動軸５３とこの第１の回動軸５３と直交するように横方向に延びる第２の回動軸５４とを設けた二軸ヒンジ機構５５を備えている。そして、表示部５２を二軸ヒンジ機構５５の第１、第２の回動軸５３、５４を中心に回転できるよう構成している。なお、図５，図６における、５６は撮像レンズ、５７は収納用凹部５１に収納した表示部５２を取り出す際に指を挿入させるための挿入用凹部であり、この挿入用凹部５７は、収納用凹部５１を取り囲むように設けられている外壁部５８の一部を窪ませて形成している。
【０００４】
このような構成により、一般の撮像対象（自分自身ではない撮像対象）を撮像する場合には、図５（ｂ）に示すように、第１の回動軸５３を中心に表示部５２を手前側に略９０度回転させることで、表示部５２の表示画面５２ａを見ながら撮像することができ、また、自分自身を撮像する場合（いわゆる自分撮りする場合）には、図６（ａ）に示すように、前記状態からさらに、表示部５２を第２の回動軸５４回りに略１８０度回転させることで、表示部５２の表示画面５２ａを見ながら、自分自身などを撮像できるように構成されている。
【０００５】
しかしながら、このような構造の撮像表示装置においては、表示部５２側に取り付けられている第２の回動軸５４が本体部５０の上下方向略中央箇所に配設されているため、表示部５２の表示画面５２ａが、撮像装置本体５０側面の約半分以下の大きさにしか設定できず、また、表示部５２の長手方向が、上下に長い本体部５０の長手方向とは異なるように配置されているので、本体部５０と比較して、見易い大きな画面を用いることができず、この結果、視認性があまり良くないという課題がある。
【０００６】
これに対して、特許文献２には、２つの回転軸を有する点で特許文献１と類似する撮像表示装置が開示されている。図７に示すように、撮像手段などが設けられた略矩形状の本体部７０の片面に、液晶画面７１ａが設けられた同じく略矩形状の表示部７１を、この表示部７１の長手方向の辺が、本体部７０の長手方向の辺に沿うように配設している。また、本体部７０の片面における前端部寄り箇所に、上下方向に延びる第１の回動軸７２と、この第１の回動軸７２と直交するように横方向に延びる第２の回動軸７３とを設けた二軸ヒンジ機構７４を備えている。そして、表示部７１を二軸ヒンジ機構７４の第１、第２の回動軸７２、７３を中心に回転できるよう構成している。
【０００７】
このような構成により、自分自身でない一般の撮像対象を撮像する場合には、表示部７１を本体部７０に沿わせた折り畳み状態から、図７に示すように、第１の回動軸７２を中心に表示部７１を側方（ａ方向）に略９０度回転させることで、表示部７１の表示画面７１ａを見ながら撮像することができ、また、自分自身を撮像する場合（いわゆる自分撮りする場合）には、前記状態からさらに、表示部７１を第２の回動軸７３回り（ｂ方向）に略１８０度回転させることで、表示部７１の表示画面７１ａを見ながら、自分自身などを撮像できるようになっている。
【０００８】
この構成によれば、第１の回動軸７２が中央よりも前側に寄せられて後開きの配置とされ、表示部７１の長手方向の辺が、本体部７０の長手方向の辺に沿うように配設しているので、表示部７１の表示画面７１ａを、本体部７０の側面に近い大きさまで形成することができ、表示部７１の表示画面７１ａとして見易い大きな画面を使用することができて、視認性が良好になる。
【特許文献１】特開２００１−６５５４０号公報
【特許文献２】特開平１０−２８５４４４号公報
【発明の開示】
【発明が解決しようとする課題】
【０００９】
しかしながら、上記何れの従来構成においても、撮影時に本体部５０、７０を縦向きに手で持った状態で表示部５２、７１を見ることについては対応させているが、既に撮影済みの画像などを表示部５２、７１で見るべく、本体部５０を横置きした姿勢で見るという用途には対応していない課題がある。
【００１０】
つまり、上記特許文献１の構造においては、本体部５０をテーブルなどに置いた横置き姿勢（本体部５０における表示部５２が設けられている面と反対側の面を下にした姿勢）で、撮像した画像などを見ようとして、図５（ａ）に示す折り畳み状態から第１の回動軸５３を中心に表示部５２を手前側に略９０度回転させた図５（ｂ）に示す姿勢で横置きし、この状態で見ようとしても、第１の回動軸５３から離れた側の短辺部分５２ｂが上方側となって縦横が逆になる配置となり、支障をきたしてしまうので、図５（ｂ）において仮想線で示すように、収納状態から第１の回動軸５３を中心に表示部５２を手前側に略１８０度回転させることが考えられるが、この場合は、表示部５２を上方から覗き込むこととなり、長時間見るには疲れてしまう。別の方法として、図６（ｂ）に示すように、折り畳み状態から第２の回動軸５４回りに略９０度回転させることが考えられるが、外壁部５８と表示部５２の長辺部分との間に指を挿入できないので、この場合には、収納状態から、まず第１の回動軸５３を中心に表示部５２を収納用凹部５１から引き出した後に、第２の回動軸５４回りに表示部を回転させ、その後、第１の回動軸５３を中心に表示部５２を収納用凹部５１側に回転させなければならず、極めて多くの手間や時間がかかる不具合がある。また、図６（ｂ）に仮想線で示すように、外壁部５８と表示部５２の長辺部分との間に指を挿入するための挿入用凹部５９をさらに設けることも考えられるが、このように、複数の挿入用凹部５７、５９を設けると、この撮像表示装置を用いて撮像する際に、前記挿入用凹部５７、５９に指が引っかかったりして、使い勝手が悪くなる。
【００１１】
また、上記特許文献２の構造においては、本体部７０をテーブルなどに置いた横置き姿勢（本体部７０における表示部７１が設けられていない面と反対側の面を下にした姿勢）で、撮像画像などを見ようとして、図７に示すように、折り畳み状態から第１の回動軸７２を中心に表示部７１を略９０度回転させて立設させた状態では、画面の縦横が逆になって支障をきたしてしまう。
【００１２】
本発明は上記課題を解決するもので、表示部を見ながら、一般の撮像対象を撮像したり、自分自身を撮像したりすることができながら、本体部を安定のよい横置き姿勢に置いた状態でも、表示部を良好に見ることができる撮像表示装置を提供することを目的とするものである。
【課題を解決するための手段】
【００１３】
上記課題を解決するために本発明の撮像表示装置は、撮像手段が設けられた本体部と、撮像画像を表示可能で、本体部に当接または近接する折り畳み姿勢において本体部の長手方向の辺にその長手方向の辺が沿うように配置される表示部と、その軸心が本体部の面に沿うように配置された第１の回転軸と、この第１の回転軸を介して本体部に回転可能に取り付けられた回転支持台と、この回転支持台において前記第１の回転軸に対して直交するように配置され、表示部を回転支持台に対して回転自在に支持する第２の回転軸とを備え、前記第２の回転軸またはその一部が、表示部の辺に沿い、かつ、表示部折り畳み時における本体部の辺にも沿うように配置されていることを特徴とする。
【００１４】
この構成によれば、本体部を安定のよい横置き姿勢に置いた状態でも、表示部を第２の回転軸を中心に回転させることで、表示部を良好に見ることができる。また、撮像しながら表示部を見る場合には、表示部が本体部に対して立設するように第１の回転軸を中心に回動させた後、表示部を第２の回転軸を中心に回転させることで、表示部を見ながら一般の撮像対象を撮像したり、自分自身を撮像したりすることができる。また、表示部は本体部と長手方向の辺が沿い、かつ、第２の回転軸またはその一部が、表示部折り畳み時に、表示部の辺および本体部の辺に沿うように配置されるので、表示部の表示画面として見易い大きな画面を使用することができ、視認性が良好になる。
【発明の効果】
【００１５】
以上のように本発明によれば、一般の撮像対象や自分自身などを撮像しながら、表示画面として見易い大きな画面の表示部を見ることができるだけでなく、本体部を安定のよい横置き姿勢に置いた状態でも、表示部を良好に見ることができ、使い勝手が良好となる。
【発明を実施するための最良の形態】
【００１６】
請求項１に記載の本発明の撮像表示装置は、撮像手段が設けられた本体部と、撮像画像を表示可能で、本体部に当接または近接する折り畳み姿勢において本体部の長手方向の辺にその長手方向の辺が沿うように配置される表示部と、その軸心が本体部の面に沿うように配置された第１の回転軸と、この第１の回転軸を介して本体部に回転可能に取り付けられた回転支持台と、この回転支持台において前記第１の回転軸に対して直交するように配置され、表示部を回転支持台に対して回転自在に支持する第２の回転軸とを備え、前記第２の回転軸またはその一部が、表示部の辺に沿い、かつ、表示部折り畳み時における本体部の辺にも沿うように配置されていることを特徴とする。
【００１７】
この構成によれば、本体部を安定のよい横置き姿勢で置いた状態でも、表示部を第２の回転軸を中心に回転させることで、表示部を良好に見ることができる。また、撮像しながら表示部を見る場合には、表示部が本体部に対して立設するように第１の回転軸を中心に回動させた後、表示部を第２の回転軸を中心に回転させることで、表示部を見ながら一般の撮像対象を撮像したり、自分自身を撮像したりすることができる。また、表示部は本体部と長手方向の辺が沿い、かつ、第２の回転軸またはその一部が、表示部折り畳み時に、表示部の辺および本体部の辺に沿うように配置されるので、表示部の表示画面として見易い大きな画面を使用することが可能となり、視認性が良好になる。
【００１８】
請求項２に記載の発明は、請求項１記載の撮像表示装置において、表示部の表示面に略直交する方向から見て、表示部における回転支持台に臨む辺を除く外形が、本体部の外形に略重なるように表示部が形成されていることを特徴とする。
【００１９】
この構成により、表示部として、回転支持台に対向する辺を除く外形部分が、本体部の外形部分に略重なるような大きなものを用いることができ、表示部の視認性が極めて良好となる。
【００２０】
請求項３に記載の発明は、請求項１または２に記載の撮像表示装置において、第１の回転軸の姿勢を検知する第１回転軸姿勢検知手段と、第２の回転軸の姿勢を検知する第２回転軸姿勢検知手段と、これら第１、第２の回転軸姿勢検知手段により検知した姿勢に応じて表示画面の表示姿勢を変更する表示姿勢変更手段とを備えたことを特徴とする。
【００２１】
この構成により、表示部を見ながら一般の撮像対象を撮像すべく、第１および第２の回転軸回りに表示部を回転させた場合と、表示部を見ながら自分自身を撮像すべく、第１および第２の回転軸回りに表示部を回転させた場合と、本体部を安定のよい横置き姿勢に置いた状態で、表示部を第２の回転軸回りに表示部を回転させた場合との、各場合における表示部の姿勢を、第１、第２の回転軸姿勢検知手段にて検知できて、表示姿勢変更手段により、その姿勢に応じた表示状態に良好に切り換えることができる。
【００２２】
請求項４に記載の発明は、請求項１〜３の何れか１項に記載の撮像表示装置において、表示部を折り畳み位置に配置した際に表示部に当接する当接突起が、第１の回転軸側箇所を中心に円弧状に湾曲した形状であることを特徴とする。
【００２３】
この構成により、第２の回動軸を中心として表示部を開ける際には、表示部が当接突起の円弧面に関係なく当接した状態で上昇するので、表示部を開動作に比較的大きな力を必要となる。これに対して、第１の回動軸を中心として表示部を開ける際には、表示部が当接突起の円弧面に沿うように回転しながら上昇するので、表示部の開動作を小さな力で行うことができる。このように、この構成によれば、少ない部品構成にもかかわらず、開ける方向に応じて、開く際の負荷を異ならすことができる。
【００２４】
以下、本発明の実施の形態を図面に基づき説明する。
図１は本発明の実施の形態にかかる撮像表示装置の構成を概略的に示す斜視図である。
図１（ａ）、図２（ａ）に示すように、撮像表示装置は、撮像レンズ１を含めた撮像手段が内蔵されているとともに、図示しない記録媒体も内蔵可能とされた略矩形形状の本体部２と、前記撮像手段にて撮像した画像を表示可能で、本体部２に密接する（当接する場合や近接する場合を含む）折り畳み姿勢において本体部２の長手方向の辺にその長手方向の辺が沿うように配置される略矩形状の表示部３と、その軸心が本体部２の一側面に沿うように配置された第１の回転軸４と、この第１の回転軸４を介して本体部２に回転可能に取り付けられた回転支持台５と、この回転支持台５において第１の回転軸４に対して直交するように配置され、表示部３を回転支持台５に対して回転自在に支持する第２の回転軸６とを備えている。そして特に、回転支持台５と表示部３とを連結する第２の回転軸６またはその一部が、表示部３の辺３ａに沿い、かつ、表示部折り畳み時における本体部２の辺２ａに沿うように配置されている。一方、本体部２と回転支持台５とを連結する第１の回転軸４は、中央よりも撮像レンズ１側に寄せられた位置（図１（ａ）においては上方寄り位置）に配置されている。なお、本体部２と表示部３とを連結する第１、第２の回転軸４、６および回転支持台５の具体的構成は、特許文献２（特開平１０−２８５４４４号公報）に開示されている軸体回転構造と略同様にすることができる。
【００２５】
撮像表示装置は、図１（ａ）〜（ｄ）に示すように、撮影に適して持ちやすい縦向き姿勢で扱うことができるだけでなく、図２（ａ）、（ｂ）に示すように、表示部３とは反対側の面を下向きにして、テーブルなどに安定した状態で置くことのできる横置き姿勢に配置できる。また、図１（ａ）、図２（ａ）に示すように、表示部３は、その表示面３ｂに略直交する方向（図２（ａ）における上方向）から見て、表示部３における回転支持台５に臨む辺を除く外形が、本体部２の外形に略重なるような形状に形成されている。そして、表示部３は、撮像レンズ１などが配設されている部分を除き、側面部（図１（ａ）に示す状態において側面となる部分）の略全面に跨るような、大きなものが用いられている。したがって、本体部２における表示部３が密接状態で配置される収容用平面部２ｂは、撮像レンズ１などが配設されている基体部２ｃと比較すると、窪んで形成されているが、単なる平面形状であり、外側から表示部３の各辺を直接つかむことができるよう構成されている。なお、図示しないが、折り畳んだ状態で表示部３と収容用平面部２ｂとの間に若干隙間を生じるような窪みを設けてもよい。また、収容用平面部２ｂに各種操作釦等を設けてもよい。
【００２６】
表示部３は、第１の回転軸４を中心として、図１（ａ）に示すように本体部２に密接する折り畳み姿勢と、図１（ｂ）に示すように本体部２に対して立設する立設姿勢とに回動可能に配置されている。また、図示しない第１の回転軸付勢手段により、折り畳み姿勢と立設姿勢との間の中間位置においては、折り畳み姿勢側に近い位置では折り畳み姿勢側に付勢され、また、立設姿勢に近い位置では折り畳み姿勢側に付勢されるように組みつけられている。また、第１の回転軸４の近傍箇所等には、第１の回転軸４が所定位置まで回転して表示部３が立設した姿勢になっていることを検知する第１回転軸姿勢検知手段１１が設けられている。
【００２７】
また、表示部３は、第２の回転軸６を中心として、１８０度以上回転できるように構成されている。すなわち、第１の回転軸４を中心として表示部３を折り畳み姿勢から、図１（ｂ）に示すような立設姿勢に回転させた状態から、第２の回転軸６を中心としてＣ方向に９０度以上回転させることができ、これにより、図１（ｄ）に示すように、撮像レンズ１が向けられている前方側から、表示部３の表示面３ｂを見ることができる。また、表示部３を、図１（ｂ）に示すような立設姿勢から、第２の回転軸６を中心としてＤ方向に略９０度回転させることができ、これにより、図１（ｃ）に示すように、撮像レンズ１が向けられている方向とは反対の後方側から、表示部３の表示面３ｂを見ることができるように構成されている。なお、第２の回転軸６回りには、どのような中途角度でもその姿勢が維持できるように構成されているが、表示部３が図１（ｂ）に示す中央所定角度（図１（ｂ）に示すように本体部２に対して表示部３を立設させた状態では、表示部３が略水平になる姿勢）に位置しやすいように、付勢手段にて若干付勢されている。また、回転支持台５における第２の回転軸６の近傍箇所等には、第２の回転軸６が図１（ｂ）に示す位置からＣ方向側に回転されていることを検知する第２回転軸第１姿勢検知手段１２と、第２の回転軸６が図１（ｂ）に示す位置からＤ方向側に回転されていることを検知する第２回転軸第２姿勢検知手段１３とが設けられている。そして、前記第２回転軸第１姿勢検知手段１２により、表示部３が、図２（ａ）に示すような折り畳み姿勢から、第２の回転軸６を中心として、図２（ｂ）に示すように、Ｃ方向側に回転されたことも検知できるようになっている。さらに、撮像表示装置には、第１回転軸姿勢検知手段１１、第２回転軸第１姿勢検知手段１２、第２回転軸第２姿勢検知手段１３により検知した表示部３の姿勢に応じて表示画面の表示姿勢を変更する表示姿勢変更手段も内蔵されている。また、第２の回転軸６を中心として表示部３を回転させる際の抵抗力が、第１の回転軸４を中心として表示部３を回転させる際の抵抗力よりも大きくなるように、各回転軸６、４に対して付勢する付勢手段の付勢力が調整されており、表示部３を、第１の回転軸４を中心に回転させることは比較的小さな力で行うことができるようになっている。
【００２８】
上記構成において、表示部３を見ながら一般の撮像対象を撮像しようとする際には、図１（ａ）に示すように、縦向きの折り畳み姿勢から、第１の回転軸４を中心にＥ方向に回転させて、図１（ｂ）に示すように、表示部３を本体部２に対して立設させた後、表示部３を第２の回転軸６を中心にＤ方向に回転させることで、後ろ向きとなった表示部３を見ながら一般の撮像対象物を撮像することができる。
【００２９】
また、表示部３を見ながら自分自身などを撮像しようとする際には、図１（ａ）に示すように、縦向きの折り畳み姿勢から、第１の回転軸４を中心にＥ方向に回転させて、図１（ｂ）に示すように、表示部３を本体部２に対して立設させた後、表示部３を第２の回転軸６を中心にＣ方向に回転させることで、前向きとなった表示部３を見ながら自分自身などを撮像することができる。
【００３０】
さらに、撮像するのではなくて、撮像した画像を見たい場合（または、記録媒体に記録されたその他の画像などの情報を見ることもできる）には、図２（ａ）に示すように、テーブルなどに本体部２を横置き姿勢で置き、表示部３を第２の回転軸６を中心にＦ方向に回転させて立設させる。これにより、簡単に安定な状態で表示部３を立設させることができ、この表示部３を良好に見ることができる。
【００３１】
なお、何れの場合も、第１回転軸姿勢検知手段１１、第２回転軸第１姿勢検知手段１２、第２回転軸第２姿勢検知手段１３により、第１の回転軸４および第２の回転軸６の姿勢が検知され、各場合において、表示部３の上側に位置する部分が表示画像の上方側となるように表示状態が切り換えられる。
【００３２】
この構成によれば、第２の回転軸６を、表示部３の辺３ａに沿い、かつ、表示部３の折り畳み時における本体部２の辺２ａに沿うように配置されているので、図１（ｃ）、（ｄ）に示すように、表示部３を見ながら、一般の撮像対象を撮像したり、自分自身を撮像したりすることができるだけでなく、図２（ｂ）に示すように、本体部２を安定のよい横置き姿勢に置いた状態でも、表示部３を良好に見ることができる。また、横置き姿勢に置いた状態で表示部３を見る場合には、表示部３を第２の回転軸６を中心に回転させるだけでよいので、手間をあまりかけなくても済み、操作性も良好である。また、表示部３として、撮像レンズ１などが配設されている基体部２ｃを除き、本体部２の側面の略全面に跨るような大きなものを用いることができるので、視認性が良好になる。
【００３３】
さらに、何れの場合も、第１回転軸姿勢検知手段１１、第２回転軸第１姿勢検知手段１２、第２回転軸第２姿勢検知手段１３により、第１の回転軸４および第２の回転軸６の姿勢が検知され、それぞれの場合に、表示部３の上側部分が画像の上方側となるように表示状態が切り換えられるので、どのような使用状態でも表示の向きが良好となり、使い勝手がよい。また、第２の回転軸６を中心として表示部３の向きを変更する際には、比較的大きな抵抗力が作用するように構成しているので、撮影時や表示内容鑑賞時に、表示部３の向きが変わることが防止され、表示部３の良好な姿勢が維持される。
【００３４】
また、図３、図４は、本発明の他の実施の形態にかかるもので、これらの図に示すように、表示部３を折り畳み姿勢に維持する当接突起１５を、本体部２における基体部２ｃと収容用平面部２ｂとの間の段差部２ｄから、表示部３の配設箇所に向けて突出するように設けてもよい。この当接突起１５は、第１の回転軸４側箇所を中心に湾曲する円弧形状に形成されており、段差部２ｄから突出するように、その部材の弾性や付勢手段などにより付勢させて配設している。
【００３５】
この構成によれば、第２の回動軸６を中心として表示部３を開ける際には、図４（ａ）に示すように、表示部３の側端面が当接突起１５の円弧面に関係なく当接した状態で上昇するので、表示部３の開動作に比較的大きな力を必要となる。これに対して、第１の回動軸４を中心として表示部３を開ける際には、図４（ｂ）に示すように、表示部３の側端面が当接突起１５の円弧面に沿うように回転しながら上昇するので、表示部３の開動作を小さな力で行うことができる。この構成によれば、極めて簡単な構成で、開ける方向に応じて、開く際の負荷を異ならすことができ、利便性が向上する。
【産業上の利用可能性】
【００３６】
本発明の撮像表示装置は、表示部をいろいろな姿勢で見ることが可能な各種の表示装置に適用することが可能である。
【図面の簡単な説明】
【００３７】
【図１】（ａ）〜（ｄ）は、それぞれ本発明の実施の形態にかかる撮像表示装置の縦向き姿勢における斜視図で、（ａ）は表示部を折り畳んだ状態を示し、（ｂ）は折り畳み状態から表示部を立設させた状態を示し、（ｃ）は一般の撮像対象を撮像する場合を示し、（ｄ）は自分自身を撮像する場合を示す。
【図２】（ａ）、（ｂ）は、それぞれ本発明の実施の形態にかかる撮像表示装置の横置き姿勢の斜視図で、（ａ）は表示部を折り畳んだ状態を示し、（ｂ）は折り畳み状態から表示部を立設させた状態を示す。
【図３】本発明の他の実施の形態にかかる撮像表示装置の横置き姿勢の斜視図である。
【図４】（ａ）、（ｂ）は、それぞれ同撮像表示装置の要部正面図であり、（ａ）は第２の回転軸を中心に回転させる状態を示し、（ｂ）は第１の回転軸を中心に回転させる状態を示す。
【図５】（ａ）、（ｂ）は、従来の撮像表示装置を示す斜視図で、（ａ）は表示部を折り畳んで収納した状態を示し、（ｂ）は折り畳み状態から表示部を立設させた状態を示す。
【図６】（ａ）、（ｂ）は、同従来の撮像表示装置を示す斜視図で、（ａ）は折り畳み状態から表示部を立設させ、さらに回転させた状態を示し、（ｂ）は横置き姿勢で表示部を立設させた状態を示す。
【図７】従来のその他の撮像表示装置を示す斜視図である。
【符号の説明】
【００３８】
１      撮像レンズ
２      本体部
２ａ    端辺
２ｄ    段差部
３      表示部
３ａ    端辺
３ｂ    表示面
４      第１の回転軸
５      回転支持台
６      第２の回転軸
１１    第１回転軸姿勢検知手段
１２    第２回転軸第１姿勢検知手段
１３    第２回転軸第２姿勢検知手段
１５    当接突起
【図１】
2005079732.tif 000003
【図２】
2005079732.tif 000004
【図３】
2005079732.tif 000005
【図４】
2005079732.tif 000006
【図５】
2005079732.tif 000007
【図６】
2005079732.tif 000008
【図７】
2005079732.tif 000009